(57)【要約】【課題】  光学式ピックアップより照射されるレーザー光により可視画像を形成することが出来る光ディスクを提供する。【解決手段】  光ディスク記録再生装置に組み込まれている光学式ピックアップから照射されるレーザー光が入射される入射光面側から第１信号層１Ｂ及び第２信号層１Ｄの２つの信号層が設けられている光ディスクであり、入射光面側より照射されるレーザー光によって第２信号層１Ｄに可視画像を形成することが出来るように構成されている。【選択図】    図１
2005149536.tif 000002
【特許請求の範囲】
【請求項１】
光ディスク記録再生装置に組み込まれている光学式ピックアップから照射されるレーザー光が入射される入射光面側から第１信号層及び第２信号層の２つの信号層が設けられている光ディスクであり、入射光面側より照射されるレーザー光によって第２信号層に可視画像を形成することが出来るように構成された光ディスク。
【請求項２】
第２信号層にデータ信号の記録動作を行うことが出来るようにしたことを特徴とする請求項１に記載の光ディスク。
【請求項３】
第２信号層に形成された可視画像を入射光面側及び反対側の面から目視可能にしたことを特徴とする請求項１に記載の光ディスク。
【請求項４】
第２信号層を異なる色を発色する複数層にて構成したことを特徴とする請求項１に記載の光ディスク。
【請求項５】
第１信号層にデータ信号の記録動作を行うことが出来るようにしたことを特徴とする請求項１に記載の光ディスク。
【発明の詳細な説明】
【技術分野】
【０００１】
本発明は、光学式ピックアップより照射されるレーザー光によってディスクに可視画像を形成することが出来る光ディスクに関する。
【背景技術】
【０００２】
光学式ピックアップを用いてディスクに記録されている信号の読み出し動作を行うディスクプレーヤーが普及しているが、最近では、再生機能に加えて光学式ピックアップより照射されるレーザー光によってディスクに信号を記録することが出来るように構成された光ディスク記録再生装置が商品化されている。
【０００３】
光ディスク記録再生装置において、ディスクに信号を記録した場合ディスクに記録した信号の内容を確認するためには、ディスクに記録された信号を再生する必要がある。そのため、使用者は、信号の記録動作が終了したとき、記録した内容、例えば音楽の場合には曲名が印刷されたラベル等をディスクにおける記録面の反対側の面に貼付したり、記録面の反対側の面にサインペン等によって曲名等を書き込むという動作を行っている。
【０００４】
ラベル等を貼付したり、曲名等を書き込む方法は、手間が掛かるだけでなくディスクに記録されている信号の再生動作に悪影響を与えることがあるという問題がある。斯かる問題を解決する方法としてレーザー光によって光ディスクの感光面に可視画像を形成する技術が開発されている(例えば、特許文献１参照。)。
【０００５】
また、可視画像をカラーにて形成することが出来るようにした技術も開発されている(例えば、特許文献２参照。)。
【特許文献１】特開２００３−２０３３４８号公報
【特許文献２】特開２００３−２７２２４０号公報
【発明の開示】
【発明が解決しようとする課題】
【０００６】
従来の技術では、データ信号が記録される信号面に可視画像を形成するようにしているため、データ信号の記録容量が多くなると可視画像を形成する領域が少なくなり、記録されたデータ信号の全てを表示することが出来なくなるという問題がある。また、光ディスクに対する可視画像の形成動作は、ディスクの信号記録面の反対側の面に対して行われるため、使用者は、ディスクへの記録動作が終了した後ディスクの表裏反対にするための操作をする必要があり、操作性が悪いという問題がある。
【０００７】
本発明は、斯かる問題を解決することが出来る光ディスクを提供しようとするものである。
【課題を解決するための手段】
【０００８】
本発明は、光ディスク記録再生装置に組み込まれている光学式ピックアップから照射されるレーザー光が入射される入射光面側から第１信号層及び第２信号層の２つの信号層が設けられている光ディスクであり、入射光面側より照射されるレーザー光によって第２信号層に可視画像を形成することが出来るように構成されている。
【発明の効果】
【０００９】
本発明は、光ディスク記録再生装置に組み込まれている光学式ピックアップから照射されるレーザー光が入射される入射光面側から第１信号層及び第２信号層の２つの信号層が設けられている光ディスクであり、入射光面側より照射されるレーザー光によって第２信号層に可視画像を形成することが出来るようにしたので、光ディスクへの記録動作が終了したとき、そのまま記録されたデータ信号の内容等を示す文字等の可視画像を形成することが出来るので、光ディスクの表裏反転操作等を行う必要がなく非常に便利である。
【００１０】
また、第２信号層に可視画像を記録するようにしたので、第１信号層に記録されているデータ信号の内容を示す可視画像を第２信号層の全面に形成することが出来る。
【００１１】
本発明は、第２信号層にデータ信号の記録動作を行うことが出来るようにしたので、多くのデータ信号の記録動作を行うことが出来る。
【００１２】
また、本発明は、第２信号層に形成された可視画像を入射光面側及び反対側の面から目視可能にしたので、光ディスクに記録されているデータ信号の内容の確認動作を容易に行うことが出来る。
【００１３】
そして、本発明は、第２信号層を異なる色を発色する複数層にて構成したので、カラフルな可視画像を形成することが出来る。
【００１４】
また、本発明は、第１信号層にデータ信号の記録動作を行うことが出来るようにしたので、第１信号層に記録されたデータ信号の内容を第２信号層の全面に可視画像として形成することが出来る。
【発明を実施するための最良の形態】
【００１５】
本発明は、光学式ピックアップに組み込まれているレーザーダイオードから照射されるレーザー光によって可視画像を形成することが出来る光ディスクを提供するものである。
【実施例１】
【００１６】
図１は本発明に係る光ディスクの一実施例を示す断面図、図２は本発明に係る光ディスクを使用する光ディスク記録再生装置の一実施例を示すプロック回路図、図３は本発明に係る光ディスクの一実施例を示す断面図である。
【００１７】
図１において、１は光ディスクであり、光学式ピックアップ２に組み込まれているレーザーダイオード３から照射されるレーザー光が入射される入射光面側から透明な第１保護層１Ａ、第１信号層１Ｂ、透明な第２保護層１Ｃ及び第２信号層１Ｄが設けられている。光学式ピックアップ２に組み込まれているレーザーダイオード３は、波長の異なる２つのレーザー光Ｌ１及びＬ２を照射する２波長レーザーであり、レーザー光Ｌ１の波長の方がレーザー光Ｌ２の波長より短いとすると、対物レンズ４による集光作用によりレーザー光Ｌ１は図１に示すように第１信号層１Ｂに合焦され、レーザー光Ｌ２は第２信号層１Ｄに合焦される。
【００１８】
斯かる構成において、第２信号層１Ｄを信号記録層とし、レーザーダイオード３より照射されるレーザー光を波長の長いレーザー光Ｌ２にするとともにレーザー出力レベルの調整動作及び照射位置の調整動作を行うことによって第２信号層１Ｄに可視画像を形成することが出来る。
【００１９】
図２は本発明に係る光ディスクを使用する光ディスク記録再生装置を示すプロック回路図である。同図において、５は光ディスク１が載置されるターンテーブルであり、スピンドルモーター６によって回転駆動されるように構成されている。７は光学式ピックアップ
２内に組み込まれている光検出器であり、光ディスク１の第１信号層１Ｂ又は第２信号層１Ｄから反射されるレーザー光が照射されるとともに該信号を電気信号に変換する作用を有するものである。
【００２０】
８は光学式ピックアップ２に組み込まれているフォーカシングコイルであり、対物レンズ４を光ディスク１の信号面方向に変位させることによってレーザー光Ｌ１及びＬ２を各信号層に合焦させる作用を成すものである。９は光学式ピックアップ２に組み込まれているトラッキングコイルであり、対物レンズ４を光ディスク径方向に変位させることによってレーザー光Ｌ１及びＬ２を各信号層に形成されている信号トラックに追従させる作用を成すものである。
【００２１】
１０はピックアップ送り用モーターであり、送り用ネジ１１を回転駆動することによって光学式ピックアップ２の本体を光ディスク１の径方向へ移動させるように構成されている。１２は前記光検出器７によって電気信号に変換されたＲＦ(高周波)信号が入力されるとともに該信号を増幅するＲＦ信号増幅回路であり、波形整形するとともに２値化した信号を出力するように構成されている。
【００２２】
１３は前記ＲＦ信号増幅回路１２を通して得られるフォーカスエラー信号及びトラッキングエラー信号に基いてフォーカス制御動作及びトラッキング制御動作を行うピックアップ制御回路であり、前記光学式ピックアップ２に組み込まれているフォーカシングコイル８及びトラッキングコイル９に駆動信号を供給するように構成されている。
【００２３】
１４は前記ＲＦ信号増幅回路１２から出力される2値化信号が入力されるデジタル信号処理回路であり、光ディスク１から読み出された信号をデジタル信号処理することによって必要なデータ信号を抽出するように構成されている。１５はコンピューター等のホスト機器(図示せず)より出力される命令信号や記録信号であるデータ信号が入力されるとともに光ディスク記録再生装置の各種の動作を制御するシステム制御回路であり、データ信号を一時的に記憶するバッファ用メモリー(図示せず)が組み込まれている。
【００２４】
１６はホスト機器より出力されるデータ信号や可視画像用のデータ信号が入力されるとともに各信号に応じた記録信号を出力する信号記録用回路であり、データ信号を記録するためのパルス信号や可視画像を形成するためのパルス信号を出力するように構成されている。１７は前記信号記録用回路１６から出力されるパルス信号が入力されるレーザーダイオード駆動回路であり、入力されるパルスに対応した駆動信号を前記光学式ピックアップ２に組み込まれているレーザーダイオード３に供給するように構成されている。
【００２５】
１８はレーザーダイオード切換回路であり、光ディスク１に設けられている第１信号層１Ｂを使用する場合には波長の短いレーザー光Ｌ１を照射させ、第２信号層１Ｄを使用する場合には波長の長いレーザー光Ｌ２を照射させるようにレーザーダイオード駆動回路１７を切り換えるように構成されている。
【００２６】
１９は前記システム制御回路１５によって動作が制御されるスピンドルモーター駆動回路であり、前記スピンドルモーター６を回転駆動制御するように構成されている。前記スピンドルモーター駆動回路１９によるスピンドルモーター６の回転駆動制御動作は、光ディスク１にデータ信号を記録する場合には、光ディスク１から読み出される同期信号を利用して光ディスク１を線速度一定にて回転駆動し、可視画像を形成する場合には角速度一定になるように回転駆動するように構成されている。２０はシステム制御回路１５によって動作が制御されるピックアップ送り用モーター駆動回路であり、前記ピックアップ送り用モーター１０を回転駆動するように構成されている。
【００２７】
以上に説明したように本発明に係る光ディスクを使用する光ディスク記録再生装置は構成されているが、次に動作について説明する。光ディスク１に設けられている第１信号層１Ｂにホスト機器より送信されるデータ信号の記録動作を行う場合には、システム制御回路１５によるレーザーダイオード切換回路１８に対する制御動作が行われ、該レーザーダイオード切換回路１８による切換動作によりレーザーダイオード３からレーザー光Ｌ１のレーザー光を放射させる状態にするための駆動信号をレーザーダイオード駆動回路１７から出力させる状態に切換える制御動作が行われる。
【００２８】
斯かる状態にて記録動作が行われるが、このときピックアップ制御回路１３による制御動作によってレーザー光Ｌ１を第１信号層１Ｂに合焦させるフォーカス制御動作及び光ディスク１の第１信号層１Ｂに形成されているプリグルーブと呼ばれる溝に追従させるトラッキング制御動作が行われる。また、トラッキング動作に伴う光学式ピックアップ２本体の移動動作は、ピックアップ送り用モーター１０を回転駆動することによって行われる。そして、プリグルーブより得られるウォブル信号からの同期信号の抽出動作等はデジタル信号処理回路１４によって行われるが斯かる動作は周知であるのでその説明は省略する。
【００２９】
また、光ディスク１への信号の記録動作を行う場合には、レーザー出力が光ディスク１に設けられている第１信号層１Ｂへの信号の記録動作に適した値になるように設定され、その設定された出力のレーザー光を得るための駆動信号がレーザーダイオード駆動回路１７からレーザーダイオード３に供給されるように構成されている。そして、ウォブル信号から得られる同期信号を利用したスピンドルモーター駆動回路１９によるスピンドルモーター６の回転制御動作が行われる結果、光ディスク１は所望の線速度一定の状態にて回転駆動されることになる。
【００３０】
斯かる状態にて、ホスト機器より出力される記録信号であるデータ信号は、システム制御回路１５に組み込まれているバッファ用メモリーに一時的に記憶された後読み出されて信号記録用回路１６に入力される。斯かる記録信号であるデータ信号が信号記録用回路１６に入力されると、該信号記録用回路１６によるデータ信号に対するエンコード処理が行われる。その結果、記録信号に応じて変換された信号がパルス信号として出力されることになる。
【００３１】
前記信号記録用回路１６から出力された記録信号に対応したパルス信号は、レーザーダイオード駆動回路１７に入力されるので、そのパルスに対応した駆動信号がレーザーダイオード３に対して出力される。斯かる駆動信号がレーザーダイオード３に供給されると、該レーザーダイオード３からレーザー光Ｌ１が放射されるので第１信号層１Ｂに該レーザー光Ｌ１が照射されることになる。斯かる動作が行われる結果、光ディスク１に設けられている第１信号層１Ｂにデータ信号を記録することが出来る。
【００３２】
以上に説明したように第１信号層１Ｂへのデータ信号の記録動作は行われるが、次に第２信号層１Ｄへの可視画像の形成動作について説明する。
【００３３】
光ディスク１に設けられている第２信号層１Ｄに可視画像を形成する場合には、システム制御回路１５によるレーザーダイオード切換回路１８に対する制御動作が行われ、該レーザーダイオード切換回路１８による切換動作によりレーザーダイオード３からレーザー光Ｌ２のレーザー光を放射させる状態にするための駆動信号をレーザーダイオード駆動回路１７から出力させる状態に切換える制御動作が行われる。
【００３４】
斯かる状態にて可視画像の形成動作が行われるが、このときピックアップ制御回路１３による制御動作によってレーザー光Ｌ２を第２信号層１Ｄに合焦させるフォーカス制御動作が行われる。また、可視画像を形成するための光学式ピックアップ２本体の移動動作は
、ピックアップ送り用モーター１０を回転駆動することによって行われる。
【００３５】
また、光ディスク１の第２信号層１Ｄへの可視画像の形成動作を行う場合には、レーザー出力が光ディスク１の第２信号層１Ｄへの可視画像の形成動作に適した値になるように設定され、その設定された出力のレーザー光を得るための駆動信号がレーザーダイオード駆動回路１７からレーザーダイオード３に供給されるように構成されている。そして、斯かる場合におけるスピンドルモーター駆動回路１９によるスピンドルモーター６の回転制御動作は、角速度が一定になるように行われる。
【００３６】
斯かる状態にて、ホスト機器より出力される可視画像のための可視画像データ信号は、システム制御回路１５に組み込まれているバッファ用メモリーに一時的に記憶された後読み出されて信号記録用回路１６に入力される。斯かる可視画像データ信号が信号記録用回路１６に入力されると、該信号記録用回路１６から可視画像を形成するための信号がパルス信号として出力されることになる。
【００３７】
前記信号記録用回路１６から出力された可視画像データ信号に対応したパルス信号は、レーザーダイオード駆動回路１７に入力されるので、そのパルスに対応した駆動信号がレーザーダイオード３に対して出力される。斯かる駆動信号がレーザーダイオード３に供給されると、該レーザーダイオード３からレーザー光Ｌ２が放射されるので第２信号層１Ｄに該レーザー光Ｌ２が照射されることになる。そして、斯かるレーザー光Ｌ２が照射される位置は、ピックアップ送り用モーター１０による光学式ピックアップ２の移動動作、対物レンズ４のトラッキングコイル９による変位動作によって制御されることになる。
【００３８】
このようにして制御されるレーザー光Ｌ２の照射位置と照射のタイミングを制御することによって光ディスク１の第２信号層１Ｄに可視画像を形成することが出来るので、例えば第１信号層１Ｂに記録したデータ信号の内容を示す情報を可視画像として形成することが出来る。そして、このようにして形成された可視画像は、光ディスク１の入射光面側より目視出来るようにすることも反対側の面から目視することが出来るようにすることも出来る。勿論、目視する方向に合わせた可視画像データ信号を信号記録用回路１６から出力されるように構成する必要がある。
【００３９】
前述した可視画像を光ディスク上に形成する技術としては、例えば特開２００２−２０３３２１号公報に記載されている技術があり、斯かる技術を利用することによって可視画像を記録層として設けられている第２信号層１Ｄに形成することが出来る。
【００４０】
信号記録層として設けられている第２信号層１Ｄとしては、可視画像のみ形成することが出来る記録層として設けることも出来るが、データ信号を記録することが出来る記録層とすることも出来る。そして、この場合には、第１信号層１Ｂに記録される信号の規格と第２信号層１Ｄに記録される信号の規格とは相違することになる。例えば、第１信号層１Ｂの記録規格は、ＤＶＤ規格とし、第２信号層１Ｄの記録規格は、ＣＤ規格とすることが出来る。
【００４１】
また、第１信号層１Ｂは再生専用の信号層とし、第２信号層１Ｄを可視画像形成専用の信号層としたり、第１信号層１Ｂをデータ信号の記録層とし、第２信号層１Ｄをデータ信号の記録動作及び可視画像形成動作を行うことが出来る記録層にすることも出来る。更に、第１信号層１Ｂをデータ信号の記録動作を繰り返し行うことが出来る記録層とし、第２信号層１Ｄをデータ信号の記録動作及び可視画像形成動作を繰り返し行うことが出来る記録層にすることも出来る。
【００４２】
以上に説明した光ディスク１は、単色により可視画像を形成することが出来るディスク
であるが、次に複数色により可視画像を形成することが出来るディスクについて図３を参照して説明する。
【００４３】
図３において、第２信号層１Ｄは、図示したように３層、即ち青色発色層Ｂ、緑色発色層Ｇ及び赤色発色層Ｒにて構成されている。斯かる場合、第２信号層１Ｄは、可視画像を形成する専用層となり、青色発色層Ｂ、緑色発色層Ｇ及び赤色発色層Ｒに対してレーザー光Ｌ２の合焦層を制御することによって色別の可視画像を形成することが出来る。また、発色させる層を複数組み合わせて制御することによって種々な色を合成して作ることが出来る。
【図面の簡単な説明】
【００４４】
【図１】本発明に係る光ディスクの一実施例を示す断面図である。
【図２】本発明に係る光ディスクを使用する光ディスク記録再生装置の一実施例を示すブロック回路図である。
【図３】本発明に係る光ディスクの一実施例を示す断面図である。
【符号の説明】
【００４５】
１        光ディスク
１Ｂ      第１信号層
１Ｄ      第２信号層
２        光学式ピックアップ
３        レーザーダイオード
４        対物レンズ
７        光検出器
１０        ピックアップ送り用モーター
１２        ＲＦ信号増幅回路
１３        ピックアップ制御回路
１４        デジタル信号処理回路
１５        システム制御回路
１６        信号記録用回路
１７        レーザーダイオード駆動回路
１８        レーザーダイオード切換回路
【図１】
2005149536.tif 000003
【図２】
2005149536.tif 000004
【図３】
2005149536.tif 000005